(57)【特許請求の範囲】
【請求項１】
ワイヤーロープアイソレータ用のマウンティングブロックであって、
上面及び下面、対向する面、及び２つの端面と、
ワイヤーロープが一方の側面から他方の側面へとその穴を貫通できるよう、前記側面を軸方向に貫通する一連の横穴と、
マウンティングブロックを構成する材料より硬度が高い材料でできた少なくとも一つのダウエルピンと、を備え、
前記ダウエルピンは、該ダウエルピンに十分な大きさの力がかけられると、該ダウエルピンの一方の端部が前記マウンティングブロックの表面と面一になり、かつその他方の端部が前記マウンティングブロックに含まれる穴の中に伸びるように打ち込まれ、前記マウンティングブロックを変形させることなく、該ダウエルピンがそこに含まれるワイヤーロープを機械的に固定し前記マウンティングブロックとロッキングコンタクトするようにすることを特徴とする。
【請求項２】
請求項１のマウンティングブロックにおいて、
前記横穴は円筒形状であることを特徴とする。
【請求項３】
請求項１のマウンティングブロックにおいて、
ワイヤーロープと噛み合っている前記ダウエルピンの端部はＶ字の形状に形成されていることを特徴とする。
【請求項４】
請求項１のマウンティングブロックであって、さらに、
マウンティングブロックに対して前記ダウエルピンを最初に打ち込むことなく、前記横穴に含まれるワイヤーロープを直接固定するよう、マウンティングブロックに含まれる横穴と垂直であるパイロットホールを、有することを特徴とする。
【請求項５】
請求項１から請求項４のいずれかのマウンティングブロックにおいて、
前記ダウエルピンは鋼鉄でできており、前記マウンティングブロックはアルミニウムでできていることを特徴とする。
【請求項６】
ワイヤーロープアイソレータであって、
ワイヤーロープと、
一対の対向するマウンティングブロックであって、該ブロックの対の各マウンティングブロックは、さらに、
上面及び下面、対向する側面、及び２つの端面、
前記側面を通って軸方向に貫通する一連の横穴であって、前記ワイヤーロープは、一方の側面から他方の側面へと、かつ、一つのマウンティングブロックから対向するマウンティングブロックへと前記の穴内に、かつこれを通して貫通するよう、前記側面を軸方向に貫通する一連の横穴、及び、
マウンティングブロックを構成している材料より硬度が高い材料でできている少なくとも一つのダウエルピン、を有し、
該ダウエルピンは、該ダウエルピンに十分な大きさの力がかけられると、前記ダウエルピンの一方の端部が前記マウンティングブロックの表面と面一になり、かつ、その他方の端部が前記マウンティングブロックに含まれる穴の中に伸びるように打ち込まれ、マウンティングブロックを変形させることなく、ダウエルピンがそこに含まれるワイヤーロープを機械的に固定し前記マウンティングブロックとロッキングコンタクトするようにするものであり、
それにより、前記マウンティングブロックが相互に移動し、振動性のエネルギーを放散することを特徴とする。
【請求項７】
請求項６のワイヤーロープアイソレータにおいて、
前記マウンティングブロックの各々の前記横穴は、円筒形状であることを特徴とする。
【請求項８】
請求項６のワイヤーロープアイソレータにおいて、
ワイヤーロープと噛み合っている前記ダウエルピンの端部は、Ｖ字の形状に形成されていることを特徴とする。
【請求項９】
請求項６のワイヤーロープアイソレータにおいて、さらに、
マウンティングブロックに対して最初に前記ダウエルピンを打ち込むことなく、前記横穴に含まれるワイヤーロープを直接固定することができるよう、マウンティングブロックに含まれる横穴と垂直であるパイロットホールを、有することを特徴とする。
【請求項１０】
請求項６から請求項９のいずれかのワイヤーロープアイソレータにおいて、
前記ダウエルピンは鋼鉄でできており、前記マウンティングブロックはアルミニウムでできていることを特徴とする。
【請求項１１】
ワイヤーロープアイソレータの構築方法において、
上面及び下面、対向する側面、及び２つの端面を有するマウンティングブロックを形成する工程と、
前記マウンティングブロックの各々を通って穴を軸方向に貫通させる工程と、
２つのマウンティングブロックを一直線上に間隔をあけて位置させる工程と、
ワイヤーロープを、ブロック間でエンドレスループ形状を作りながら前記マウンティングブロックの穴内にかつこれを通って貫通させる工程と、かつ、
前記ダウエルピンがマウンティングブロックに含まれるワイヤーロープを機械的に固定し、前記マウンティングブロックとロッキングコンタクトするよう、少なくとも１つのダウエルピンを各マウンティングブロックの表面内に打ち込む工程と、を含み、
それによって、前記マウンティングブロックが相互に移動し、振動性のエネルギーを放散することを特徴とする。
【請求項１２】
請求項１１のワイヤーロープアイソレータの組み立て方法において、
ワイヤーロープと噛み合っている前記ダウエルピンの端部がＶ字の形状に形成されていることを特徴とする。
【請求項１３】
請求項１１のワイヤーロープアイソレータの組み立て方法において、
前記マウンティングブロックは、さらに、マウンティングブロックに対して最初に前記ダウエルピンを打ち込むことなく、前記横穴に含まれるワイヤーロープの直接固定を可能とするよう、前記マウンティングブロックに含まれる前記横穴と垂直であるパイロットホールを、含むことを特徴とする。
【請求項１４】
請求項１１から請求項１３のいずれかのワイヤーロープアイソレータの組み立て方法において、
前記ダウエルピンは鋼鉄でできており、前記マウンティングブロックはアルミニウムでできていることを特徴とする。
【発明の詳細な説明】
【０００１】
【発明の属する技術分野】
一般的に、この発明は、振動エネルギーアイソレータに関するものであり、特に、ワイヤーロープアイソレータに関するものである。さらに詳細には、最適な実施の形態に従って以下に示された特定の実施の形態の制限を受けることなく、この発明は、マウンティングブロックの横穴を貫通しブロックとロッキングコンタクトするワイヤーロープを機械的に固定するためにダウエルピンを用いる、マウンティングブロックを使ったワイヤーロープ振動アイソレータと、このようなアイソレータの組み立て方法とに関するものである。
【０００２】
【従来の技術】
多くのオペレーションは、損傷を与え得る振動エネルギーを衝撃に鋭敏な装置及び機械から除去するためのエネルギー吸収装置を要する。船舶電気工学、航海装置、ポンプ、発電機、圧搾機、化学処理装置、航空電子工学、プロセス配管などの様々な産業が、エネルギー緩衝器を用いて日々のオペレーションに必要不可欠な装置の損傷及び早発摩耗を防ぐ。最も基本的なエネルギー吸収装置は、ピストンやばねのような単純な内部機械を用いて衝撃に鋭敏な装置に損傷を与え得る振動または運動エネルギーを害なく消費し、不要な振動エネルギーによって引き起こされる損傷の可能性から装置を保護する。例えば、それらの装置の構成要素である一般的な自動ショック吸収装置は、凹凸のある表面を走行することによってできた衝撃力を使って内部ピストンを動かし、システムのエネルギーの総量を減少させる。
【０００３】
エネルギー吸収抑制の最も一般的な様式は、ワイヤーロープアイソレータである。この種のアイソレータのほとんどが、ジオメトリックな形状で操作されているマルチストランドワイヤーロープを使用する。特定のジオメトリックの構成は、動的な変位の際にワイヤーロープを屈曲させたり収縮させることができるバネのような特性をロープに与える。ロープの波動が振動エネルギーを消費する。
【０００４】
現在産業上の利用で使用されているほとんどのワイヤーロープアイソレータは、ワイヤーロープをコイル形状または螺旋形状にしているが、サドル等の他の構成も可能である。多くの場合、ワイヤーロープの望ましいジオメトリーは、２つ又はそれ以上のエントラップメントバー又はマウンティングブロックにあけられた中空円筒形の構成要素及びチャネル等にワイヤーロープを貫通させることによって達成される。ワイヤーケーブルの螺旋形状を維持するために、いくつかの装置はネジ込み留め具で２つのマウンティングブロックを固定する。このような様式のアイソレータの例は、C.Camossiに対して発行されたU.S.PNo.3,596,865、G.L.Gilbertらに発行されたU.S.PNo.4,783,038、A.Rocheに対して発行されたU.S.PNo.5,062,507に示されている。さらに、LoziukのU.S.PNo.5,441,243、U.S.PNo.5,522,585及びU.S.PNo.5,791,636に示されているアイソレータの設計において、それらはすべて、２つのマウンティングブロックをボルト等のネジ留め手段で固定しワイヤーロープの螺旋形状を維持することを提案する。この様式のアイソレータは利点を有するが、ネジ込み留め具がいつか緩んでくるという可能性もある。
【０００５】
R.E.BelfieldらのU.S.PNo.4,190,227で提案されている振動アイソレータは、ワイヤーケーブルコイルをポリ塩化ビニールまたはポリスチレンなどの熱可塑性材料でできているリテイナーブロックで塑造する方法を用いる。この提案も弱点を有する。重い負荷や高温の下では機能しなくなる可能性がある。加えて、回転疲労によって熱可塑性材料とワイヤーケーブルとの間の接合面が機能しなくなる可能性もある。
【０００６】
Colinsに対して発行されたU.S.PNo.5,549,285に示されているワイヤーロープアイソレータは、クリンプによってワイヤーロープの形状が維持及び固定されることを提案する。この種のアイソレータはマウンティングブロックが可鍛性材料から鍛造されることを要する。ワイヤーロープケーブルは螺旋形状を形成しながら、マウンティングブロックに含まれた一連の横穴を貫通する。ワイヤーロープの周りのマウンティングブロックを塑造変形してロッキングコンタクトするよう、ワイヤーロープが位置付けされた場所の少なくとも一つのマウンティングブロックに力が加えられる。しかしながら、この設計は、長い直径を有するワイヤーケーブルを使用するには不適合である。長い直径を有するワイヤーロープは、かなり大きいマウンティングブロックを必要とする。密度の高いワイヤーケーブルの周りの相当な厚みを有するマウンティングブロックを収縮させることは相当量の力を必要とし、その結果、マウンティングブロックの完全な形が全体的に損なわれる。
【０００７】
ここで記述されている、留め具を用いてワイヤーロープを所定位置に固定するもう一つのワイヤーロープアイソレータは、かなり長い直径を有するワイヤーロープを使用する場合においては不適合である。従って、大規模のアイソレータの生産は制限される。故に、比較的長い直径を有するワイヤーロープで構築され、機械的な留め具を一切使用する必要なく組み立てられるワイヤーロープアイソレータの必要性がありつづけている。
【０００８】
【発明が解決しようとする課題】
本発明は、ダウエルピンでワイヤーロープケーブルを機械的に杭で固定及び/または噛み合わせて固定し、マウンティングブロックとロッキングコンタクトするワイヤーロープアイソレータで構成される。ダウエルピンは、マウンティングブロック及びワイヤーロープを構成している材料より硬度が高い材料でできている。ワイヤーロープと噛み合っていない方のダウエルピンの端部は、マウンティングブロックの外面と面一になるように打ち込まれる。ワイヤーロープを操作し、伸縮自在でバネのような特性をワイヤーロープに与えるジオメトリックな形状にするよう、単純なワイヤーロープアイソレータは、２つあるいはそれ以上のマウンティングブロックに含まれる中空円筒形状の構成要素及びチャネル等にワイヤーロープを貫通させることによって組み立てられる。組み立てられたアイソレータが、衝撃に鋭敏な機械及び/または装置に取り付けられた場合、アイソレータは、機械的システムに動的負荷がかけられた時に、損傷を与え得る振動エネルギーを装置から逸らすことによって、前記機械及び/または装置を隔離する。特に、ワイヤーロープが屈曲及び収縮することによってマウンティングブロックが関連して互いに動き、振動エネルギーを除去する。
【０００９】
好ましい実施の形態において、杭で固定する工程を容易にするよう、ワイヤーケーブルと噛み合っているダウエルピンの先端はＶ字形状であり得る。この目的は、ワイヤーロープが位置する横穴に垂直なパイロットホールをマウンティングブロックに含ませることによって達成される。ダウエルピンは、マウンティングブロックの表面を貫通する必要性を避けながら、ワイヤーロープに直接打ち込まれる。本発明のさらなる側面によると、マウンティングブロック及びアイソレータはアルミニウムでできているが、ダウエルピンは鋼鉄でできている。
【００１０】
【課題を解決するための手段】
それ故、本発明の目的は、エネルギー吸収装置を改良することである。
【００１１】
本発明のもう一つの目的は、産業上で利用可能のワイヤーロープ振動アイソレータを改良することである。
【００１２】
本発明のさらなる目的は、機械的な留め具を一切使用せずにワイヤーロープ振動アイソレータを組み立てることである。
【００１３】
本発明のさらに他の目的は、ケーブルが格納されているマウンティングブロックの集積性を損なうことなく、現在産業上で利用可能な従来のワイヤーケーブルの直径よりも長い直径を持つワイヤーケーブルを使用するワイヤーロープ振動アイソレータを組み立てることである。
【００１４】
本発明のさらに他の目的は、熱及び負荷などの極度の動作条件下においてもアイソレータが機能するよう、ワイヤーロープ振動アイソレータにおいて、金属部品を使用することである。
【００１５】
本発明のさらに他の目的は、ブロックの構成要素とワイヤーロープとの間の化学的接合を避けることである。
【００１６】
本発明の追加的な目的は、リテイナープレートをワイヤーロープアイソレータのワイヤーコイルに固定することに関連するコストのかかる機械加工オペレーションを除くことである。
【００１７】
本発明のさらなる目的は、産業上で利用するワイヤーロープアイソレータの組み立てに必要な部品数を減らすことである。
【００１８】
本発明のさらなる目的は、多様なサイズのワイヤーロープアイソレータの組み立てに必要な工程数を減らすことである。
【００１９】
これら、及び他の目的は、本発明によって達成される。
【００２０】
【発明の実施の形態】
図１には、本発明にかかるワイヤーロープ振動アイソレータ１が示される。アイソレータは、予め決められた数の個々の連続するコイルを有するワイヤーロープ２の実質的に円筒形状のコイルを含む。アイソレータ１は一対のマウンティングブロック３及び４を含む。各マウンティングブロックは対向する上面３Ａ及び４Ａ、下面３Ｂ及び４Ｂ、対向する側面３Ｃ、３Ｄ、４Ｃ、４Ｄ及び対向する横断面３Ｅ、３Ｆ、４Ｅ、４Ｆを有する。マウンティングバーは、長方形に限らず、三日月形または楕円形の上面あるいはその他の適合するジオメトリーで形成された、円形、半円形でもよい。各マウンティングブロック３及び４は、軸方向に貫通する一連の横穴を有する円筒形状の構成要素及びチャネル等を有する。ワイヤーロープは連続するループ形状で、複数の湾曲部が形成されるまで、一方のマウンティングブロックの空いた穴を１つ通過し対向するマウンティングブロックの空いている穴に入るように動かされる。この結果は、複数のワイヤーロープを使ってもまた達成し得る。この工程は、ワイヤーロープが螺旋形状になるまで継続される。螺旋形状によって、動的な負荷がかけられた際にバネのように屈曲及び収縮したりする伸縮性がワイヤーロープに与えられる。その結果、マウンティングブロックは、工程中にエネルギーを除去しながら互いに垂直に動く。
【００２１】
ネジ込み留め具５Ａ、５Ｂ、６Ａ及び６Ｂによって、一つのまたは両方のマウンティングブロックが他の対象物に装備できる。
【００２２】
一連のダウエルピン７及び８（図示せず)は、ワイヤーロープ２を機械的に固定及び/または噛み合わせて固定し、各マウンティングブロック３及び４とロッキングコンタクトするよう、各横穴の上で各マウンティングブロック３及び４に打ち込まれる。図１で示された実施の形態は、各マウンティングブロック３及び４で形成された各横穴が一連のダウエルピン７及び８によって固定されているワイヤーロープアイソレータ１を示す。その他の実施の形態において、全ての横穴をピンで固定する必要はない。例証されている通り、ワイヤーロープと噛み合っていない方のダウエルピンの端部はマウンティングブロック３及び４の上面３Ａ及び４Ａと面一になるように打ち込まれる。
【００２３】
使用するダウエルピンは、マウンティングブロック及びワイヤーロープの材料より硬度が高い材料でできていることが要求される。本発明の一つの実施の形態において、ダウエルピンは固められた鋼鉄からできているが、マウンティングブロックとワイヤーロープはアルミニウムでできている。このコントラストが、マウンティングブロック及びワイヤーロープにダウエルピンを打ち込むための必要な力を緩和する。
【００２４】
図２は、ワイヤーロープを螺旋形状またはコイル状に動かさないワイヤーロープアイソレータ１０を示す。本発明のこの実施の形態において、一対の横穴１２Ａ，１２Ｂ，１３Ａ及び１３Ｂをそれぞれ有する２つのマウンティングブロック１２及び１３は、継続するループ形状で一方のブロックの横穴を通って対向するブロックの空いている横穴に入るワイヤーロープによって間隔が空けられている。図１で示されているアイソレータのように、ワイヤーロープは、ワイヤーロープの伸縮性によってマウンティングブロックを互いに動かすことを可能にするジオメトリックの形状で操作される。
【００２５】
一連のダウエルピン１４及び１５（下面のマウンティングブロック１３のダウエルピンは図示せず）は、各マウンティングブロック１２及び１３を通って、そこに含まれるワイヤーロープ１１に打ち込まれる。この特定の実施の形態において、４つのダウエルピン１４Ａ、１４Ｂ、１４Ｃ、１４Ｄ、１５Ａ、１５Ｂ、１５Ｃ及び１５Ｄは、上のマウンティングブロック１２の表面を貫通し、ワイヤーロープ１１を含んでいる横穴１２Ａ、１２Ｂに打ち込まれる。下のプレート１３のダウエルピンはここでは示されていない。他の実施の形態において、多かれ少なかれダウエルピンはワイヤーロープを固定するために使用される。この場合もやはり、ダウエルピンはマウンティングブロックの上面と面一に打ち込まれ、マウンティングブロック及びワイヤーロープの材料よりも硬度が高い材料によって構成される。
【００２６】
図３は、図２を上から見下ろした平面図である。一連のダウエルピン１４及び１５は、上のマウンティングブロックの外面を貫通し、上のマウンティングブロックで形成された横穴１２Ａ及び１２Ｂ（図示せず) に入り、そこに含まれるワイヤーロープ１１に打ち込まれ、上のマウンティングブロック１２を固定してワイヤーロープ１１とロッキングコンタクトする。保護しようとしている鋭敏な装置にアイソレータ１０を取り付けるために、ネジ込みマウンティングホール１６及び１７が下のマウンティングブロック１３に見られる。
【００２７】
図４は、図２で示された組み立てられたアイソレータのＺ軸に沿った断面図である。この例証において、ワイヤーロープ１１は複数のダウエルピンによって、マウンティングブロック１２及び１３とのロッキングコンタクトで機械的に固定される。（ダウエルピン１４Ａ、１４Ｂ、１４Ｃ及び１４Ｄはワイヤーロープを上のマウンティングブロックに固定し、それに対し、間釘１６Ａ、１６Ｂ、１７Ｃ及び１７Ｄは下のマウンティングブロックを固定しロッキングコンタクトする。)ワイヤーロープ１１は、上のマウンティングブロック１２の横穴１２Ａ及び下のマウンティングブロック１３の横穴１３Ａ及び１３Ｂを貫通している。何本かのワイヤーロープが本発明の他の実施の形態で使用可能であるが、上のマウンティングブロック１２はワイヤーロープ１１の終端部を含む。ワイヤーロープ１１の終端部が図に示されているように隣接する必要はない。本発明の他の実施の形態において、アイソレータの組み立て中にワイヤーロープ１１の端部の位置付けを補助する「止め穴」を作成するための細い垂直ウェブがワイヤーロープを貫通させている全ての垂直の穴に位置付けされる。ワイヤーロープ１１を固定し上のマウンティングブロック１２とロッキングコンタクトするよう、ダウエルピン１４Ａ、１４Ｂ、１４Ｃ及び１４Ｄは上のマウンティングブロック１２の外面を貫通させられ、そこに含まれるワイヤーロープ１１Ａ及び１１Ｂの断面に打ち込まれている。ダウエルピンはマウンティングブロックの上面から打ち込まれる必要はないということに留意すべきである。ダウエルピンが、十分な力がかけられた時にマウンティングブロックを貫通してそこに含まれるワイヤーロープに打ち込まれるように横穴の上に位置付けされる限り、下面または対向する両側面からも同様にダウエルピンをマウンティングブロックに打ち込むことが可能であろう。好ましい実施の形態において、ダウエルピンは、組み立て中にマウンティングプレートの表面と同一面上に打ち込まれる。
【００２８】
ワイヤーロープ１１は伸縮性を有する湾曲部を作りながら、マウンティングブロックから外方へと弧を描く。使用中に、動的負荷がかけられた際それらの湾曲部は屈曲したり収縮したりする。その結果、マウンティングブロック１２及び１３は、工程中に、互いに動いてエネルギーを除去する。
【００２９】
ワイヤーのもう一方の端部もほぼ同様の方法で、ダウエルピン１６Ａ、１６Ｂ、１７Ｃ及び１７Ｄにより下のマウンティングブロック１３に固定される。この透視図では、ワイヤーロープは、下のマウンティングブロック１３に含まれる横穴１３Ａ及び１３Ｂを完全に貫通している。
【００３０】
図５は、上のマウンティングブロックの一方の面から上のマウンティングブロックのもう一方の面へ貫通する横穴１２Ａを含むマウンティングブロック１２の断面図である。ワイヤーロープ１１は、マウンティングブロック１２の横穴１２Ａを完全に貫通している。ワイヤーロープ１１と上のマウンティングブロック１２とをロッキングコンタクトするために、ダウエルピン１４がマウンティングブロック１２の外面を貫通し、その外面の下の横穴に含まれるワイヤーロープ１１に打ち込まれている。示されているように、好ましい実施の形態では、ダウエルピン１４はマウンティングブロック１２の外面と面一に打ち込まれる。
【００３１】
図６は、上のマウンティングブロックの一方の面から上のマウンティングブロックのもう一方の面へ貫通する横穴１２Ａを含むマウンティングブロック１２の断面図である。ワイヤーロープ１１はマウンティングブロック１２の横穴１２Ａを完全に貫通している。横穴１４に含まれるワイヤーロープ１１を固定しマウンティングブロック１２とロッキングコンタクトするよう、Ｖ字形状の先端部を有するダウエルピン１４は、マウンティングブロック１２の外面を貫通し、その面の下にある横穴に含まれるワイヤーロープに打ち込まれる。本実施の形態においては、ダウエルピン１４とワイヤーロープ１１との間の接触面積を大きくするために、ダウエルピン１４をワイヤーロープ１１の真ん中を外して打ち込んで固定する。示されている通り、好ましい実施の形態において、ダウエルピン１４はマウンティングブロック１２の外面と面一に打ち込まれる。
【００３２】
図７は、上のマウンティングブロックの一方の面からマウンティングブロック１２のもう一方の面へ貫通する横穴１２Ａを含むマウンティングブロック１２の断面図である。ワイヤーロープ１１は、マウンティングブロック１２の横穴１２Ａを完全に貫通している。本発明のこの実施の形態において、ワイヤーロープ１１が含まれている横穴１２Ａと垂直であるパイロットホール１２Ｃがマウンティングブロック１２に形成される。パイロットホール１２Ｃによって、ダウエルピン１４とワイヤーロープ１１とを直接固定できる。ここで述べられている他の実施の形態とは対照的に、ダウエルピン１４はワイヤーロープ１１を固定する前にまずマウンティングブロックに打ち込まれる必要はない。
【００３３】
【発明の効果】
この発明は、好ましい実施の形態及び示された実施の形態を作成する好ましい方法を参考に詳細に記述されているが、それらの明確な実施の形態に限定されないということを認識すべきである。むしろ、発明の実施の最良の形態を記述する本開示に鑑みて、請求項にて定義するように、多くの修正及び多様性が、この発明の有効範囲及び精神から外れることなく当業者に対して提示されるであろう。
【図面の簡単な説明】
【図１】  本発明にかかるワイヤーロープアイソレータの１つの実施の形態の透視図である。
【図２】  本発明にかかるワイヤーロープアイソレータの別の実施の形態の透視図である。
【図３】  図２で示されたワイヤーロープアイソレータの平面図である。
【図４】  本発明にかかるワイヤーロープ振動アイソレータマウンティングブロックに含まれる、杭で固定されたワイヤーロープの断面図である。
【図５】  マウンティングブロックに形成された横穴をワイヤーロープが貫通し、ダウエルピンが打ち込まれて前記ワイヤーロープとロッキングコンタクトしていることを示す本発明にかかる１つの実施の形態のマウンティングブロックの部分断面図である。
【図６】  ダウエルピンの先端が、マウンティングブロックの横穴に含まれるワイヤーロープとロッキングコンタクトするために、真ん中を外して打ち込まれたＶ形状のものであることを示す本発明にかかる１つの実施の形態のマウンティングブロックの部分断面図である。
【図７】  ワイヤーロープを含むマウンティングブロックの横穴に垂直であるパイロットホールを有するマウンティングブロックである、本発明の１つの実施の形態のマウンティングブロックの部分断面図である。図７は、マウンティングブロックの表面に最初にダウエルピンを打ち込むことなくダウエルピンでワイヤーロープを直接固定できるようになったことによって、パイロットホールが、どのようにしてそこに含まれるワイヤーロープの固定を容易にしたかが示される。
【符号の説明】
１  ワイヤーロープ振動アイソレータ
２，１１，１１Ａ，１１Ｂ  ワイヤーロープ
３，４，１２，１３  マウンティングブロック
３Ａ，４Ａ  マウンティングブロックの上面
３Ｂ，４Ｂ  マウンティングブロックの下面
３Ｃ，３Ｄ，４Ｃ，４Ｄ  マウンティングブロックの側面
３Ｅ，３Ｆ，４Ｅ，４Ｆ  マウンティングブロックの横断面
５Ａ，５Ｂ，６Ａ，６Ｂネジ込み留め具
７，１４，１４Ａ，１４Ｂ，１４Ｃ，１４Ｄ，１５Ａ，１５Ｂ，１５Ｃ，１５Ｄ，１６Ａ，１６Ｂ，１６Ｃ，１６Ｄ，１７Ａ，１７Ｂ，１７Ｃ，１７Ｄ  ダウエルピン
１０  アイソレータ
１２Ａ，１２Ｂ，１３Ａ，１３Ｂ  横穴
１６，１７  マウンティングホール
Ｚ  軸
【図１】
0004366022.tif 000002
【図２】
0004366022.tif 000003
【図３】
0004366022.tif 000004
【図４】
0004366022.tif 000005
【図５】
0004366022.tif 000006
【図６】
0004366022.tif 000007
【図７】
0004366022.tif 000008